(57)【要約】【課題】押縁を斜めに突き合わせて容易に枠部に取り付けることが可能な建具を提供する。【解決手段】室内外に開口した開口部に設けられた面材と、開口部内に設けられた枠部と、端部同士が斜めに突き合わされ枠部に取り付けられて面材を室内外方向の一方側から押さえるための押縁と、を備え、押縁は、見込み方向に沿う移動方向に移動され、移動方向の先側で枠部と係合する第１係合部と、第１係合部より移動方向の後側で係合する第２係合部とを有し、枠部は、第１係合部と係合する第１係合突部と、第２係合部と係合する第２係合突部と、第１係合突部と第２係合突部との間に、枠部の内側に向かって窪む凹部と、を有し、押縁は、第１係合部が凹部に挿入されつつ移動して、第２係合部が枠部から離れるように傾いた状態で第１係合部と第１係合突部とが係合し、第２係合部が枠部に近づく方向に回動されて第２係合突部と係合する。【選択図】図４
2008202366.tif 000002
【特許請求の範囲】
【請求項１】
室内外に開口した開口部に設けられた面材と、前記開口部内に設けられた枠部と、端部同士が斜めに突き合わされ前記枠部に取り付けられて前記面材を室内外方向の一方側から押さえるための押縁と、を備え、
前記押縁は、見込み方向に沿う移動方向に移動され、前記移動方向の先側で前記枠部と係合する第１係合部と、前記第１係合部より前記移動方向の後側で係合する第２係合部とを有し、
前記枠部は、前記第１係合部と係合する第１係合突部と、前記第２係合部と係合する第２係合突部と、前記第１係合突部と前記第２係合突部との間に、前記枠部の内側に向かって窪む凹部と、を有し、
前記押縁は、前記第１係合部が前記凹部に挿入されつつ移動して、前記第２係合部が前記枠部から離れるように傾いた状態で前記第１係合部と前記第１係合突部とが係合し、前記第２係合部が前記枠部に近づく方向に回動されて前記第２係合突部と係合することを特徴とする建具。
【請求項２】
請求項１に記載の建具であって、
前記第２係合部は、前記押縁の移動方向における後方側への移動を規制する移動規制突片を有し、
前記第２係合部と前記第２係合突部とが係合されることにより、前記移動規制突片が前記第２係合突部に前記移動方向における先側で当接されることを特徴とする建具。
【請求項３】
請求項１または請求項２に記載の建具であって、
前記第２係合部は、当該第２係合部が前記枠部に近づく方向への回動を規制する回動規制突片を有し、
前記第２係合部と前記第２係合突部とが係合されることにより、前記回動規制突片が前記第２係合突部に当接されることを特徴とする建具。
【請求項４】
請求項１乃至請求項３のいずれかに記載の建具であって、
前記面材と前記押縁との間には、弾性を有するシール材が設けられ、
前記シール材により前記移動規制突片と前記回動規制突片とが前記第２係合突部に、押圧されていることを特徴とする建具。
【発明の詳細な説明】
【技術分野】
【０００１】
本発明は、室内外に開口した開口部に設けられた面材と、前記開口部内に設けられた枠部と、端部同士が斜めに突き合わされ前記枠部に取り付けられた押縁と、を備えた建具に関する。
【背景技術】
【０００２】
室内外に開口した開口部に設けられた面材と、前記開口部内に設けられた枠部と、端部同士が斜めに突き合わされ前記枠部に取り付けられた押縁と、を備えた建具としては、ガラスを室内側から支持しかつ上枠または縦枠に係止される上押縁及び一対の縦押縁とを備えた嵌殺窓の上押縁と縦押縁とが４５度に突き合わされたものが知られている（例えば、特許文献１参照）。
【０００３】
ところで、押縁を４５度に突き合わせて枠部に取り付ける場合には、押縁の外側の縁部が長く、内側の縁部が短くなるような４５度に端部が形成されているので、上下左右の押縁を面材の中心方向から端部側に向かって移動させつつ枠体に係止させることはできない。このため、上記従来の嵌殺窓は、上押縁を見込み方向に移動させて係止状態を解除した後に、上押縁を上方に移動させることにより、上押縁と縦押縁との間に隙間を形成し、この隙間を利用して縦枠と縦押縁との係止状態を解き、縦押縁を取り外す構成としている。
【特許文献１】特開２００４−２８５５９７号公報
【発明の開示】
【発明が解決しようとする課題】
【０００４】
上記従来の嵌殺窓に用いられる押縁は、まず、上押縁の係止状態を解除した後に上方に移動しなければ縦押縁を取り外すことができず、また、縦押縁を取り外す際には、上押縁の係止状態が解除されているため、なんらかの方法にて上押縁を上方に維持させておかなければならず、押縁の取り外し作業が繁雑であるという課題があった。
【０００５】
本発明は、かかる課題に鑑みてなされたものであり、その目的とするところは、押縁を斜めに突き合わせて容易に枠部に取り付けることが可能な建具を提供することにある。
【課題を解決するための手段】
【０００６】
かかる目的を達成するために本発明の建具は、室内外に開口した開口部に設けられた面材と、前記開口部内に設けられた枠部と、端部同士が斜めに突き合わされ前記枠部に取り付けられて前記面材を室内外方向の一方側から押さえるための押縁と、を備え、前記押縁は、見込み方向に沿う移動方向に移動され、前記移動方向の先側で前記枠部と係合する第１係合部と、前記第１係合部より前記移動方向の後側で係合する第２係合部とを有し、前記枠部は、前記第１係合部と係合する第１係合突部と、前記第２係合部と係合する第２係合突部と、前記第１係合突部と前記第２係合突部との間に、前記枠部の内側に向かって窪む凹部と、を有し、前記押縁は、前記第１係合部が前記凹部に挿入されつつ移動して、前記第２係合部が前記枠部から離れるように傾いた状態で前記第１係合部と前記第１係合突部とが係合し、前記第２係合部が前記枠部に近づく方向に回動されて前記第２係合突部と係合することを特徴とする建具である。
【０００７】
端部同士が斜めに突き合わされる押縁は、枠部の外方側の縁部（以下、外側縁部という）の長さが、面材の中央側の縁部（以下、内側縁部という）の長さより長く形成されている。このため面材の四方を押さえるべく４つの押縁を四方の枠に、面材の中央側から枠部の内方側に向かい面材に沿って移動させて取り付けることは難しい。具体的には、３つの押縁は、面材の中央側から枠部の内方側に向かい面材に沿って移動させて取り付けることは可能である。しかし、隣接する２つの押縁がいずれも取り付けられた状態で、それら隣接する押縁間に４つ目の押縁を取り付けようとすると、４つ目の押縁の端部が、既に取り付けられている両側の押縁と接触して取り付けることができない。
【０００８】
ところが上記建具によれば、枠部の内側に向かって窪む凹部に、移動方向の先側で枠部と係合する第１係合部が挿入されて移動されるので、移動される際の押縁の先端側の位置は、枠部に取り付けられた後の位置より枠部の内側に位置することになる。このため、押縁を見込み方向に移動させる際に、隣接する２つの押縁が枠部に取り付けられていたとしても、既に取り付けられている隣接する２つの押縁の端部との間に間隙を生じさせることが可能である。そして、取り付けようとする押縁と、隣接する押縁の端部との間に間隙が生じているので、取り付けようとする押縁の後端側を第２係合突部から離れる方向に移動させて押縁を傾けることが可能である。さらに、取り付けようとする押縁が傾いた状態で隣接する押縁間に移動させることにより、第２係合部が第２係合突部と接触することなく、第２係合部を第２係合突部より移動方向における先側に移動させることが可能である。そして、第２係合部を第２係合突部より移動方向における先側に移動させると、第１係合部と第１係合突部とが係合し、第２係合部を枠部に近づく方向に回動させることにより第２係合部が第２係合突部と係合するので、端部同士が斜めに突き合わされる押縁であっても容易に取り付けることが可能である。
【０００９】
かかる建具であって、前記第２係合部は、前記押縁の移動方向における後方側への移動を規制する移動規制突片を有し、前記第２係合部と前記第２係合突部とが係合されることにより、前記移動規制突片が前記第２係合突部に前記移動方向における先側で当接されることが望ましい。
【００１０】
このような建具によれば、第２係合部と第２係合突部とが係合されることにより、移動規制突片が第２係合突部に移動方向における先側で当接されるので、押縁が取り付けられた際には、押縁の移動方向における後方側への移動が規制され、押縁を外れ難く枠部に取り付けることが可能である。
【００１１】
かかる建具であって、前記第２係合部は、当該第２係合部が前記枠部に近づく方向への回動を規制する回動規制突片を有し、前記第２係合部と前記第２係合突部とが係合されることにより、前記回動規制突片が前記第２係合突部に当接されることが望ましい。
【００１２】
このような建具によれば、第２係合部と第２係合突部とが係合されることにより、回動規制突片が第２係合突部に当接されるので、押縁が取り付けられた際には第２係合部が枠部に近づく方向への回動が規制されるので、移動規制突片と第２係合突部とが当接された状態が維持され、より押縁を外れ難く枠部に取り付けることが可能である。
【００１３】
かかる建具であって、前記面材と前記押縁との間には、弾性を有するシール材が設けられ、前記シール材により前記移動規制突片と前記回動規制突片とが前記第２係合突部に、押圧されていることが望ましい。
【００１４】
このような建具によれば、面材と押縁との間に設けられた弾性を有するシール材により移動規制突片と回動規制突片とが第２係合突部に押圧されているので、押縁は、取り付ける際の移動方向とは反対の方向への移動及び第２係合部が枠部から離れる方向への回動がいずれも規制されるべく押圧されて、より押縁を外れ難く枠部に取り付けることが可能である。このとき、シール材及び面材には反力が作用するので面材を確実に保持することが可能である。
【発明の効果】
【００１５】
本発明によれば、押縁を斜めに突き合わせて容易に枠部に取り付けることが可能な建具を提供することが可能である。
【発明を実施するための最良の形態】
【００１６】
以下、本発明の一実施形態に係る建具について図面を参照して説明する。  
本実施形態は、図１に示すように、室内外に開口した開口部に設けられたサッシ枠に回動自在に支持された障子により、サッシ枠内を開閉自在に構成された建具を例に挙げて説明する。
【００１７】
以下の説明においては、建具１を室内側から見たときに上下となる方向を上下方向、左右となる方向を左右方向または見付け方向、室内外方向（奥行き方向）を見込み方向として示す。
【００１８】
本実施形態にかかる建具１は、図１に示すように、例えば、建物の躯体に取り付けられたサッシ枠３と、見付け方向における一方の端部側の上下にてサッシ枠３に回動自在に支持された障子１０とを有している。
【００１９】
障子１０は、開口部に設けられた面材としてのガラス１２と、開口部内に設けられた枠部としての框体１４と、端部同士が斜めに突き合わされ框体１４に取り付けられてガラス１２を見込み方向の一方側から支持する押縁２０とを有している。
【００２０】
框体１４は、ガラス１２の上下に設けられた上框１５及び下框１６と、左右に設けられた縦框１７、１８とが、各々両端部が４５度に切断され、各端部同士が突き合わされて矩形状に組み立てられている。各框１５、１６、１７、１８は、いずれもアルミニウム製の押出成形材である。
【００２１】
框体１４は、図２に示すように、室内側の内周開口部が室外側の内周開口部より大きく形成されており、室外側にて室内側よりガラス１２の中央方向に突出している部位１４ａと、各框１５、１６、１７、１８の室内側にて各框１５、１６、１７、１８に対しガラス１２の中央側に取り付けられる押縁２０とにより、ガラス１２が挟持されている。すなわち、押縁２０は、上框１５、下框１６、左右縦框１７、１８の各々に対応して、１つずつ取り付けられている。
【００２２】
４つの押縁２０は、いずれもアルミニウム製の押出成形材であり、両端部が４５度に切断され、隣接する押縁２０の端部同士が突き合わされて各框１５、１６、１７、１８に取り付けられている。このため、上框１５と下框１６とに取り付けられる上下の押縁２０は同一の部材であり、また、左右縦框１７、１８とに取り付けられる左右の押縁２０も同一の部材であり、取り付ける向きだけが相違する。また、上下の押縁２０と左右の押縁２０とは長さのみが異なる他は同一である。このため、以下の説明では、上框１５に取り付けられる上側の押縁２０について説明するが、他の押縁２０も、構造及び取り付けられる框１６、１７、１８に対する取り付け方法は同じである。
【００２３】
まず、上側の押縁２０が取り付けられる上框１５は、図３に示すように室内側の表面をなす表面板部１５ａから見込み方向にほぼ水平な面を有する天板部１５ｂが、ガラス１２の上部に亘って設けられている。天板部１５ｂの下面には、表面板部１５ａと面一に垂下された第２係合突部３０と、第２係合突部３０と見込み方向に間隔を隔てて設けられた第１係合突部３２とが設けられている。第１係合突部３２は、天板部１５ｂから垂下された壁部３２ａと壁部３２ａの下端から室内側に向かって突出された内向フック部３２ｂとを有し、第２係合突部３０は、表面板部１５ａと面一に垂下された表壁部３０ａと表壁部３０ａから室外方向に向かって突出された外向フック部３０ｂとを有している。上框１５は、前述したようにアルミニウム製の押出成形材なので、第１係合突部３２及び第２係合突部３０は、見付け方向の全幅に亘って形成されている。また、第１係合突部３２及び第２係合突部３０は、天板部１５ｂから垂下されて設けられているので、第１係合突部３２と第２係合突部３０との間には、上框１５の内側、すなわち上方に向かって窪む凹部１５ｃが形成されている。
【００２４】
上側の押縁２０は、図３に示すように、押縁２０が上框１５に取り付けられた状態で、上框１５の室内側の表面１５ｄとほぼ面一となる内面部２２と、内面部２２の上端側から室外側に向かって水平面を形成する框側水平板部２４と、内面部２２の下端から室外側に向かって框側水平板部２４とほぼ平行に形成された面材中央側水平板部２８とを有している。
【００２５】
框側水平板部２４は、室外側の端部に第１係合部２５が、また、室内側の端部側に第２係合部２６が設けられている。
【００２６】
第１係合部２５は、押縁２０が上框１５に取り付けられた状態で、上框１５に設けられた第１係合突部３２を上下に挟持する上挟持片２５ａと下挟持片２５ｂとを有し、上挟持片２５ａと下挟持片２５ｂとは、框側水平板部２４の室外側縁部２５ｃから鉛直方向に延出された延出部２５ｄに設けられている。そして、上挟持片２５ａは延出部２５ｄの上端側に配置され、下挟持片２５ｂは上挟持片２５ａと間隔を隔てて設けられている。また、下挟持片２５ｂは、延出部２５ｄからの長さが上挟持片２５ａより長く形成されており、下挟持片２５ｂは室外側に向かって下方に傾斜する斜面２５ｅを有するように形成されている。
【００２７】
第２係合部２６は、押縁２０が上框１５に取り付けられた状態で、内面部２２と面一になるように上方に突出され、上框１５に設けられた第２係合突部３０に当接される回動規制突片２６ａと、回動規制突片２６ａより室外側に位置させて上方に突出された移動規制突片２６ｂと、を有している。移動規制突片２６ｂは、上方に向かって室内側に傾斜するように形成されている。
【００２８】
面材中央側水平板部２８の室外側の端部側には、押縁２０が上框１５に取り付けられた状態で、ガラス１２と見込み方向に間隔を隔てて対向する鉛直壁部２８ａが上方側に形成されており、鉛直壁部２８ａの下端と面材中央側水平板部２８の室外側の端とが繋がる角部は、押縁２０の内方に向かって窪む段部２８ｂが設けられている。
【００２９】
そして、ガラス１２が配置されて、４つの押縁２０が装着された際に、ガラス１２と４つの押縁２０の鉛直壁部２８ａ及び４つの段部２８ｂとの間に形成される間隙に、シール材３６が嵌め込まれる。シール材３６はゴム等の弾性材であり、押縁２０が取り付けられた後に、ガラス１２の中央側から框の内側に向かい全周に亘って押し込まれる。このため、シール材３６は、各押縁２０及びガラス１２と密着するとともに、シール材３６の弾性力により押縁２０は室内側に、ガラス１２は室外側に押圧されている。
【００３０】
次に、上側の押縁２０の上框１５に対する取り付け方法について説明する。  
図４に示すように、押縁２０は、まず、第１係合部２５が凹部１５ｃに挿入される。このとき、上挟持片２５ａが凹部１５ｃ内にて上框１５に当接された状態でも、下挟持片２５ｂの先端が内向フック部３２ｂの上面より下方に位置するように形成されている。
【００３１】
そして、第１係合部２５が凹部１５ｃ内に位置する状態にて押縁２０を室外側に移動させる。このとき、第２係合部２６が第２係合突部３０の外向フック部３０ｂと接触しないように、押縁２０の室内側を下方に移動させるべく押縁２０を僅かに回動させる。押縁２０を室外方向に移動させることにより、下挟持片２５ｂの斜面２５ｅが内向フック部３２ｂに当接される。更に押縁２０が室外側に移動されることにより、内向フック部３２ｂの先端と斜面２５ｅとにより押縁２０が下方に移動されて、上挟持片２５ａと下挟持片２５ｂとの間に内向フック部３２ｂが入り込み係合状態となる。この状態にて、第２係合部２６の移動規制突片２６ｂは外向フック部３０ｂより室外側に位置しており、押縁２０の室外側を上方に移動させるべく押縁２０を僅かに回動させることにより、移動規制突片２６ｂが外向フック部３０ｂの先端と、また、回動規制突片２６ａが第２係合突部３０の下端に当接されて押縁２０が上框１５に取り付けられる。
【００３２】
ところで、上記のような端部同士が斜め（本実施形態の場合には４５度）に突き合わされる従来の押縁は、押縁の框側縁部の長さが、ガラスの中央側の内側縁部の長さより長く形成されている。このためガラスの四方を押さえるべく従来の押縁を四方の框に、ガラスの中央側から各框の内方側に向かいガラス面に沿って移動させて取り付けることは難しい。具体的には、４つの従来の押縁のうちのいずれかの３つの従来の押縁は容易に取り付けることが可能であるが、従来の押縁が３つ取り付けられた後に、残りの１つを取り付ける場合には、取り付けようとする従来の押縁と、既に取り付けられて隣接する２つの従来の押縁とが接触し取り付けることができない。
【００３３】
ところが、本実施形態の建具１は、上側の押縁２０を取り付ける際に、まず、上框１５の内側に向かって窪む凹部１５ｃに、第１係合部２５が挿入されて移動されるので、移動する際の上側の押縁２０の位置は、上框１５に取り付けられた際の位置より上框１５の内側に位置することになる。このため、上側の押縁２０が見込み方向に移動する際に、既に取り付けられている隣接する２つの押縁２０が左右の縦框１７、１８に取り付けられていたとしても、図５に示すように、既に取り付けられている隣接する２つの押縁２０の端部２０ａとの間に間隙を生じさせることが可能である。そして、取り付けようとする上側の押縁２０と、隣接する押縁２０の端部２０ａとの間に間隙が生じているので、上側の押縁２０の室内側を第２係合突部３０から離れる方向に移動させて上側の押縁２０を傾けることが可能である。さらに、上側の押縁２０を第２係合突部３０から離れる方向に傾かせることにより、第２係合部２６が第２係合突部３０と接触することなく、移動規制突片２６を第２係合突部３０より室外側に移動させることが可能である。そして、移動規制突片２６を第２係合突部３０より室外側に移動させると、第１係合部２５と第１係合突部３２とが係合し、さらに第２係合部２６を上框１５に近づく方向に上側の押縁２０を回動させることにより第２係合部２６が第２係合突部３０と係合するので、端部同士が斜めに突き合わされる押縁２０であっても容易に取り付けることが可能である。
【００３４】
また、上側の押縁２０が上框１５に取り付けられた状態では、第２係合部２６と第２係合突部３０とが係合されることにより、移動規制突片２６ｂが第２係合突部３０の外向フック部３０ｂに室外側で当接されるので、押縁２０の移動方向における室内側への移動が規制され、上側の押縁２０を外れ難く上框１５に取り付けることが可能である。このとき、回動規制突片２６ａが第２係合突部３０の下端に当接されるので、第２係合部２６が上框１５に近づく方向への回動が規制され、移動規制突片２６ｂと第２係合突部３０とが当接された状態が維持され、押縁２０をより外れ難く上框１５に取り付けることが可能である。
【００３５】
そして、４つの押縁２０が取り付けられた状態で、ガラス１２と各押縁２０との間に弾性を有するシール材３６を装着することにより、移動規制突片２６ｂと回動規制突片２６ａとが第２係合突部３０に押圧されるので、上側の押縁２０は、取り付ける際の移動方向とは反対の方向、すなわち室内側への移動及び第２係合部２６が上框１５から離れる方向への回動がいずれも規制されるべく押圧される。このため、上側の押縁２０をより外れ難い状態にて上框１５に取り付けることが可能である。また、このとき、シール材３６及びガラス１２には反力が作用するのでガラス１２を確実に保持することが可能である。
【００３６】
上記押縁２０は、例えば図６に示すように、上側の押縁２０の室内側が上框１５から離れる方向に押縁２０を回動させ、室内側から上側の押縁２０と上框１５との間に、鍵部５１を有する治具５０を挿入し、鍵部５１を第２係合部２６に係合させて室内側に引っ張ることにより、押縁２０を容易に取り外すことが可能である。
【００３７】
上記実施形態においては、上側の押縁２０と上框１５とを例に挙げて、構成及び作用効果を説明したが、下側の押縁２０と下框１６、左右側の押縁２０と左右縦框１７、１８についても、同様である。また、４つの押縁２０のうち、上側の押縁２０を最後に取り付ける例について説明したが、各押縁２０を、取り付け時に第１係合部２５が各框１５、１６、１７、１８の凹部に挿入され、各押縁２０と隣接する押縁２０の端部２０ａとの間に間隙が形成される構成としたので、最後に取り付けられる押縁２０は上下左右のいずれの押縁２０であっても構わない。
【００３８】
また、上記実施形態においては、面材をガラスとしたが、ガラスに限るものではない。
【００３９】
また、上記実施形態においては、建具としてサッシ枠の見付け方向の一方の端部にて回動自在に支持された障子を有する建具について説明したが、引き違いまたは片引きの引き戸を有する建具や、サッシ枠に開閉不能に取り付けられるＦＩＸ窓を有する建具など、面材が押縁にて取り付けられている建具であれば構わない。
【００４０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４１】
【図１】本実施形態に係る建具を室内側からみた正面図である。
【図２】本実施形態に係る建具の縦断面図である。
【図３】本実施形態に係る押縁を説明するための図である。
【図４】本実施形態に係る押縁の取り付け方法を説明するための図である。
【図５】隣接する押縁間に生じる間隙を説明するための図である。
【図６】本実施形態に係る押縁の取り外し方法を説明するための図である。
【符号の説明】
【００４２】
１  建具、３  サッシ枠、１０  扉、１２  ガラス、１５  上框、１５ａ  凹部、
２０  押縁、２０ａ  押縁の端部、２５  第１係合部、２６  第２係合部、
２６ａ  回動規制突片、２６ｂ  移動規制突片、
３０  第２係合突部、３２  第１係合突部、３６  シール材
【図１】
2008202366.tif 000003
【図２】
2008202366.tif 000004
【図３】
2008202366.tif 000005
【図４】
2008202366.tif 000006
【図５】
2008202366.tif 000007
【図６】
2008202366.tif 000008